(57)【要約】【課題】極端な薄肉部を設けたり、表示面を小さくしたり、ヒンジ部の隙間を大きくしたりすることなく、閉じ状態での側面側の見映えをよくする。【解決手段】折畳み時にヒンジ１０の軸方向から見たときの第１の筐体３のヒンジ側端部の角部３ｄと第２の筐体７の外側ボス部４ｂとの合わせ面で形成される隙間Ｃが直線状に伸びるようにし、第１の筐体３のヒンジ側端部の角部３ｄにおける外側ボス部４ｂと対向する面に第１の筐体３の内側に向かって凹陥された凹陥部３ｅを形成する。第２の筐体７の肩部Ａの高さがヒンジ１０の軸方向外側に向かって徐々に低くなるのに対応させ、凹陥部３ｅの深さをヒンジ１０の軸方向外側に向かって徐々に浅くする。【選択図】図１
2016134697.tif 000002
【特許請求の範囲】
【請求項１】
第１の筐体と、第２の筐体と、該第１の筐体と第２の筐体とを折畳み開閉可能に連結するヒンジ部とを備えた折畳み式の携帯端末において、
上記ヒンジ部は、
上記第２の筐体の表面から膨出した外側ボス部と、
上記第１の筐体のヒンジ側端部から延びる中央側ボス部と、
上記外側ボス部及び中央側ボス部を接続し、第１の筐体と第２の筐体との回転軸となるヒンジとを備え、
上記第１の筐体と第２の筐体との折畳み時に、上記ヒンジの回転軸方向から見たときの上記第２の筐体の外側ボス部と該外側ボス部に対向する上記第１の筐体のヒンジ側端部の角部との合わせ面で形成される隙間が直線状に伸びており、
上記第１の筐体のヒンジ側端部の角部における上記外側ボス部と対向する面には、該第１の筐体の内側に向かって凹陥された凹陥部が形成され、
上記第２の筐体の外側ボス部は、上記第２の筐体を該外側ボス部と反対側から該外側ボス部に向かって見たとき、第１の筐体の回転軌跡に対応した範囲において上記ヒンジの回転軸から最も離れた部分で構成される肩部の高さが該ヒンジの回転軸方向外側に向かって徐々に低くなるのに対応させ、上記凹陥部の深さは上記ヒンジの回転軸方向外側に向かって徐々に浅くなっている
ことを特徴とする携帯端末。
【請求項２】
請求項１に記載の携帯端末において、
上記凹陥部は、上記外側ボス部における上記角部に対向する外表面との間に所定の隙間を保つように設定された半径を有する禁止円の外径に沿って凹陥されている
ことを特徴とする携帯端末。
【請求項３】
請求項１又は２に記載の携帯端末において、
上記第１の筐体と第２の筐体との折畳み時に、該第１の筐体の正面方向から見たときの第１の筐体のヒンジ側端部の角部と、上記第２の筐体の外側ボス部との合わせ面で形成される隙間が上記第１の筐体の幅方向内側に向かって上記ヒンジの回転軸へ傾斜している
ことを特徴とする携帯端末。
【請求項４】
請求項１から３までのいずれか１つに記載の携帯端末において、
上記外側ボス部における上記第１の筐体のヒンジ側端部の角部に対向する面は、上記ヒンジの回転軸に垂直な面で切断した断面の形状が、曲線及び直線の少なくとも１つよりなる
ことを特徴とする携帯端末。
【発明の詳細な説明】
【技術分野】
【０００１】
本発明は、第１の筐体と、第２の筐体と、これら第１の筐体と第２の筐体とを折畳み開閉可能に連結するヒンジ部とを備えた携帯端末に関する。
【背景技術】
【０００２】
従来より、図１２及び図１３に示すように、第１の筐体３０３と、第２の筐体３０７と、これら第１の筐体３０３と第２の筐体３０７とを折畳み開閉可能に連結するヒンジ部３０６とを備えた折畳み式携帯端末３０１が知られている。このヒンジ部３０６は、第２の筐体３０７の表面における幅方向両端からそれぞれ略垂直に膨出した外側ボス部３０９と、この外側ボス部３０９に挟まれるように、第１の筐体３０３のヒンジ側端部から水平に延びる中央側ボス部と、これら外側ボス部３０９及び中央側ボス部に挿通される回転軸３１０（ここでは水平であり、軸心のみを図示している）とを備えている。
【０００３】
このような第１の筐体３０３が回動する携帯端末３０１では、製造誤差や外部荷重が加わったときなどでも、第１の筐体３０３と第２の筐体３０７とが擦れないように、両者の間には、一定の隙間Ｃが必要である。第１の筐体３０３は、図１３に示す第１の筐体３０３の回転軌跡に対応した第２の筐体３０７の最外形円Ｄ１から所定隙間Ｃをとった最内形円Ｄ２よりも外側に形成する必要がある。第２の筐体３０７は、最外径円Ｄ１からはみ出さない必要がある。
【０００４】
例えば、特許文献１の携帯端末４０１では、図１５及び図１６に示すように、第１の筐体４０３のヒンジ部４０６側の最先端付近で、第１の筐体４０３の回転軌跡に対応した第２の筐体４０７の最外形円Ｄ１に接線Ｔを引き、これを第２の筐体４０７の外形とし、第１の筐体４０３の下面４０３ａは、この接線Ｔと平行な直線とすると、側面の隙間Ｃを直線状にすることができる。
【０００５】
また、例えば、特許文献２のように、第１の筐体と第２の筐体との折畳み時に、第１の筐体に対して垂直な方向から見たとき及び回転軸の軸方向から見たときの第１の筐体のヒンジ側端部の両角部と、第２の筐体の外側ボス部との合わせ面における表面が略連続している折畳み式携帯通信機器が知られている。
【先行技術文献】
【特許文献】
【０００６】
【特許文献１】特開２００６−１０１３１６号公報
【特許文献２】特開２００６−３０３７２３号公報
【発明の概要】
【発明が解決しようとする課題】
【０００７】
しかしながら、図１２及び図１３に示す従来の携帯端末では、図１４に示すように、外側ボス部３０９の一部（領域Ｓ１で示す）を最外形円Ｄ１からはみ出させると最外形円はＤ１’となり、隙間Ｃを保つために、第１の筐体３０３（領域Ｓ２で示す）をＤ１’に対応した最内形円Ｄ２’にて大きく削る必要がある。そのため、通常は、隙間Ｃが、同心円である最外形円Ｄ１及び最内形円Ｄ２によって形成され、ありふれた見映えとなってしまう。
【０００８】
また、図１５に示すように、特許文献１の携帯端末４０１では、見映えをよくするために側面の隙間Ｃを直線にすることはできるが、第１の筐体４０３の下面４０３ａの勾配が大きくなって第１の筐体４０３の表示面４０２ａが小さくなってしまう。一方で、図１６に示すように、下面４０３ａの勾配を９０°に近付けて行くと、表示面４０２ａを小さくすることはないが、閉じたときに第１の筐体４０３と第２の筐体４０７との間の隙間Ｃが大きくなって見映えが悪いという問題がある。
【０００９】
また、特許文献２のように表面を略連続させるようにすると、第１の筐体が開き始めるときに、外側ボス部と外側側壁とが干渉するので、第１の筐体の外側側壁の肉厚を極端に薄くせざるを得ず、強度不足を解消するために金属材料を使用しなければならない。
【００１０】
本発明は、かかる点に鑑みてなされたものであり、その目的とするところは、極端な薄肉部を設けたり、表示面を小さくしたり、ヒンジ部の隙間を大きくしたりすることなく、閉じ状態での側面側の見映えをよくすることにある。
【課題を解決するための手段】
【００１１】
上記の目的を達成するために、この発明では、第２の筐体の外側ボス部の肩部をヒンジの回転軸方向外側に向かって低くし、それに対して所定の隙間を形成するように、第１の筐体の対向する面を形成するようにした。
【００１２】
具体的には、本発明では、第１の筐体と、第２の筐体と、これら第１の筐体と第２の筐体とを折畳み開閉可能に連結するヒンジ部とを備えた折畳み式の携帯端末を前提とし、
上記ヒンジ部は、
上記第２の筐体の表面から膨出した外側ボス部と、
上記第１の筐体のヒンジ側端部から延びる中央側ボス部と、
上記外側ボス部及び中央側ボス部を接続し、第１の筐体と第２の筐体との回転軸となるヒンジとを備え、
上記第１の筐体と第２の筐体との折畳み時に、上記ヒンジの回転軸方向から見たときの上記第２の筐体の外側ボス部と該外側ボス部に対向する上記第１の筐体のヒンジ側端部の角部との合わせ面で形成される隙間が直線状に伸びており、
上記第１の筐体のヒンジ側端部の角部における上記外側ボス部と対向する面には、該第１の筐体の内側に向かって凹陥された凹陥部が形成され、
上記第２の筐体の外側ボス部は、上記第２の筐体を該外側ボス部と反対側から該外側ボス部に向かって見たとき、第１の筐体の回転軌跡に対応した範囲において上記ヒンジの回転中心（軸）から最も離れた部分で構成される肩部の高さが該ヒンジの回転軸方向外側に向かって徐々に低くなるのに対応させ、上記凹陥部の深さは上記ヒンジの回転軸方向外側に向かって徐々に浅くなっている。
【００１３】
上記の構成によると、肩部の高さを外側に向かって低くすることで、それに対向する第１の筐体のヒンジ側端部の角部との隙間が、軸方向内側では広くなる。一方で、角部に設けた凹陥部の深さを外側に向かって徐々に浅くすることで、その隙間を必要以上に広くしないようにすることができると共に、側面からの外観を保つために、隙間を直線状に形成することも可能となる。ヒンジは、少なくとも外側ボス部と中央側ボス部との接続部分に存在すればよく、外側ボス部におけるヒンジ外側の端部まで延びている必要はないので、端部側で肩部の高さを低くしても、第１の筐体と第２の筐体との接続部分の剛性は確保される。なお、肩部は、第１の筐体３の回転軌跡に対応した範囲において、ヒンジの回転中心から最も離れた部分をいう。ヒンジは、中実でも中空でもよく、第１の筐体と第２の筐体との回転中心となるものをいう。さらに、第１の筐体のヒンジ側端部の角部は、肩部に対向する部分であり、その凹陥部のある面が、第１の筐体を第２の筐体に対してヒンジを中心に回転させたときに、肩部に最も近付く面となる。
【発明の効果】
【００１４】
以上説明したように、本発明によれば、第２の筐体の肩部の高さがヒンジの回転軸方向外側に向かって徐々に低くなるのに対応させて凹陥部の深さをヒンジの回転軸方向外側に向かって徐々に浅くし、側面視の隙間を直線状にしたことにより、極端な薄肉部を設けたり、表示面を小さくしたり、ヒンジ部の隙間を大きくしたりすることなく、閉じ状態での側面側の見映えをよくすることができる。
【図面の簡単な説明】
【００１５】
【図１】（ａ）が図４（ａ）のIa−Ia線断面図であり、（ｂ）が図４（ａ）のIb−Ib線断面図である。
【図２】本発明の実施形態１に係る携帯電話機及びその一部を拡大して示す斜視図である。
【図３】携帯電話機を示す分解斜視図である。
【図４】閉じた状態の携帯電話機の上部を拡大して示し、（ａ）が正面図で、（ｂ）が側面図である。
【図５】第１の筐体及びその一部を拡大して示す斜視図である。
【図６】第１の筐体におけるヒンジ部側を示し、（ａ）が正面図で、（ｂ）が側面図で、（ｃ）が（ａ）のVIc−VIc線断面図である。
【図７】実施形態２に係る図１相当図である。
【図８】実施形態２の他の実施例に係る図１相当図である。
【図９】実施形態３に係る折畳み式携帯電話機を示し、（ａ）が正面図で、（ｂ）が側面図である。
【図１０】実施形態３に係る第２の筐体を示す斜視図である。
【図１１】実施形態３に係る第１の筐体を示す斜視図である。
【図１２】従来技術に係る携帯端末の閉じた状態を示す側面図である。
【図１３】従来技術に係る携帯端末の開閉軌跡を示す側面図である。
【図１４】従来技術に係る閉じた状態の携帯端末の一部を拡大して示す側面図である。
【図１５】他の従来技術に係る携帯端末の開閉軌跡を示す側面図である。
【図１６】他の従来技術に係る携帯端末の開閉軌跡を示す側面図である。
【発明を実施するための形態】
【００１６】
以下、本発明の実施形態を図面に基づいて説明する。
【００１７】
（実施形態１）
図１〜図６は、本発明の実施形態１の携帯端末としての折畳み式携帯電話機１を示し、この折畳み式携帯電話機１では、表示部２が設けられた第１の筐体３と、操作キー４ａが設けられた第２の筐体７とが、ヒンジ部９において左右に延びるＸ軸を中心に折畳み開閉可能に連結されている。表示部２は、例えばタッチパネル２ａを含んでいてもよい。第１の筐体３は、例えば、樹脂成形品、金属成形品等よりなる背面カバー３ａで覆われており、正面側に表示部２を収容可能な例えば硬質樹脂材料の成形品よりなる上部キャビネット３ｂを備えている。背面カバー３ａは、上部キャビネット３ｂと一体でもよい。また、上部キャビネット３ｂは金属成形品や、硬質樹脂と金属部品の一体成形品であってもよい。
【００１８】
一方、第２の筐体７は、例えば、正面側に操作キー４ａ等が設けられる正面側キャビネット４と、その背面を覆う背面側キャビネット５と、さらにその背面を覆うリアカバー６とを備えている。正面側キャビネット４と背面側キャビネット５との間には、例えば、メイン基板８ａ、サブ基板組品８ｂ、充電池８ｃ等が収容されている。リアカバー６は、なくてもよい。また、背面側キャビネット５のない構成であってもよい。なお、以下において、「上下」、「左右」は、特に指示しない限り、図２のような折畳み式携帯電話機１の閉じ状態にて、ヒンジ部９を上にし、正面方向（背面カバー３ａ側）から見たときの方向を言う。
【００１９】
ヒンジ部９は、第２の筐体７の表面における幅方向両端から第２の筐体７の厚さ方向にそれぞれ膨出した左右の外側ボス部４ｂに挟まれるように、第１の筐体３のヒンジ側端部（図２及び図５で示す上端部であり、図示しないが折畳み式携帯電話機１を開いた状態では、第１の筐体３の下端部となる）から延びる中央側ボス部３ｃと、外側ボス部４ｂ及び中央側ボス部３ｃに挿通されるヒンジ１０とを備えている（ヒンジ１０の回転中心が、すなわちＸ軸である）。例えば、ヒンジ１０は左右１対の部品で構成され、その一方は、例えば金属製の円筒よりなり、他方は図５に示すように、ストッパないしクリック機能を有する軸よりなるが、その構成は特に限定されない。ヒンジ１０は、少なくとも中央側ボス部３ｃと、Ｘ軸上において外側ボス部４ｂとの接続部分に設けられていればよい。なお、第２の筐体７の一対の外側ボス部４ｂの間には、開き動作時に第１の筐体３の背面が当接する開状態用ストッパ１１が設けられている。また、例えば、外側ボス部４ｂの正面側（図１（ａ）の左側）は、装飾カバー１２で覆われている。
【００２０】
そして、図４（ｂ）に示すように、本実施形態では、第１の筐体３と第２の筐体７との折畳み時に、ヒンジ１０の軸方向（左右方向、幅方向）から見たときの第１の筐体３のヒンジ側端部の両角部３ｄと、第２の筐体７の外側ボス部４ｂとの合わせ面で形成される隙間Ｃが直線状に伸びている。なお、角部３ｄは、図５にハッチングで示す中央側ボス部３ｃの左右両側の角の領域を示し、外側ボス部４ｂに対向する部分を意味する。
【００２１】
図５に示すように、第１の筐体３のヒンジ側端部の両角部３ｄにおける外側ボス部４ｂと対向する面には、この第１の筐体３の長手方向（上下方向）内側に向かって凹陥された凹陥部３ｅが形成されている。
【００２２】
図６（ｃ）に示すように、第２の筐体７の外側ボス部４ｂは、第２の筐体７を外側ボス部４ｂと反対側（図６（ａ）の下側）から外側ボス部４ｂ（図６（ａ）の上側）に向かって見たときに高さがヒンジ１０の軸方向外側に向かってＨ１からＨ２へ徐々に低くなっている。これに対応させ、凹陥部３ｅの深さはヒンジ１０の軸方向外側に向かって徐々に浅くなっている。ヒンジ１０は、少なくとも外側ボス部４ｂと中央側ボス部３ｃとの接続部分に存在すればよく、外側ボス部４ｂにおけるヒンジ１０外側の端部まで延びている必要はないので、外側ボス部４ｂの高さＨ２を低くしても、第１の筐体３と第２の筐体７との接続部分の剛性は確保される。なお、図６（ｃ）と同様に図示した場合に、外側ボス部４ｂの高さＨをヒンジ１０に近い領域は水平となり、左右外側のみの高さＨを徐々に低くするようにしてもよい。また、図１（ｂ）に示す外側ボス部４ｂの左右端部の高さＩは、図１（ａ）に示す左右内側の高さＪと同様に高くなっていてもよい。要は、肩円Ｄ１の範囲内であれば、外側ボス部４ｂの形状は限定されない。一方、角部３ｄ側は、禁止円Ｄ２の外側にある限り、高さＫを図１（ｂ）よりも高くしてよい。
【００２３】
そして、図１に示すように、外側ボス部４ｂの、第１の筐体３の回転軌跡に対応した範囲において、Ｘ軸から最も遠い点であり、外側ボス部４ｂの正面側の起点となる部分を肩部Ａとし、Ｘ軸を中心とし、肩部Ａを包含するように肩円Ｄ１を形成する。外側ボス部４ｂの奥側の第１の筐体３の表示部側表面Ｅとの交点を奥基点Ｂとした場合に、図１（ａ）ではこれらの点Ａと点Ｂとを結ぶ直線を肩円Ｄ１が含有するように点Ｂを形成する。図１（ｂ）では、ヒンジ部９を上にし、正面方向から見たとき、図１（ａ）の点Ｂを通る水平線と筐体３の表示部側表面Ｅとの交点を奥基点Ｂとしている。肩円Ｄ１から隙間Ｃだけ離すように外径を設定した円を禁止円Ｄ２とする。凹陥部３ｅは、外側ボス部４ｂの外表面（角部３ｄと対向する面）との間に所定の隙間Ｃを保つように設定された半径を有する禁止円Ｄ２の外形に沿って凹陥されている。すなわち、肩円Ｄ１の半径は、肩部Ａの高さがＨ１からＨ２へ低くなるのに対応して、Ｒ１からＲ２へ小さくなる。このように、本実施形態では、肩部Ａの高さを外側（図６（ｃ）に示す左右方向の外側）に向かってＨ１からＨ２に低くしているので、角部３ｄに設けた凹陥部３ｅの深さは、それに合わせて徐々に浅くすることができる。このため、最も深さを浅くできる側面では、外観を保つために、側面から見える隙間Ｃを直線状に形成することも可能となる。一方、左右中央側では、外側ボス部４ｂと第１の筐体３のヒンジ側端部の角部３ｄとの最大隙間Ｃ’は大きなものとなるが、外部からは見えにくいので、見映えには影響しない。
【００２４】
なお、図６（ｃ）等で示されるように、装飾カバー１２の部分がＸ軸からの高さが最も高くなっているが、図１（ａ）で示すように、この装飾カバー１２は、肩円Ｄ１の範囲内に入っているので、折畳み開閉動作を阻害することはない。また、図１の視点で見た場合、第１の筐体３は時計回りに回転することで閉じ状態から開き状態に移行する。図１の閉じ状態から反時計回りに回転することはないので、奥基点Ｂ付近は第１の筐体３の回転軌跡とならず、第１の筐体３が通過することはない。そのため、閉じ状態で適正なヒンジ部９の隙間Ｃを確保しておけば、奥基点Ｂ付近において第１の筐体３と第２の筐体７とが擦れることはない。よって奥基点ＢはＸ軸から最も遠い点であっても肩部Ａとはならない。
【００２５】
本実施形態では、図１（ｂ）に示すように、奥基点Ｂを外側ボス部４ｂの外表面と外側ボス部４ｂの奥側の第１の筐体３の表示部側表面との交点で規定するのではなく、第２の筐体７の表面との交点Ｂ’で規定した場合に比べると、奥基点Ｂで決まる深さＦ１は、交点Ｂ’で決まる深さＦ２よりも浅くすることができる。このため、図４（ｂ）に示すように、側面視の隙間Ｃも狭くでき、見映えがよくなる。
【００２６】
したがって、本実施形態によると、極端な薄肉部を設けたり、表示面を小さくしたり、ヒンジ部９の隙間Ｃを大きくしたりすることなく、閉じ状態での側面側の見映えをよくすることができる。
【００２７】
（実施形態２）
図７及び図８は本発明の実施形態２を示し、外側ボス部４ｂの形状が異なる点で上記実施形態１と異なる。なお、以下の各実施形態では、図１〜図６と同じ部分については同じ符号を付してその詳細な説明は省略する。
【００２８】
すなわち、本実施形態の外側ボス部４ｂにおける第１の筐体３のヒンジ側端部の両角部３ｄに対向する面は、ヒンジ１０の回転軸に垂直な面で切断した断面の形状が、曲線及び直線の組合せよりなる。
【００２９】
具体的には、図７（ａ）に示すように、左右中央側の外側ボス部４ｂの外表面の断面形状は、肩円Ｄ１の外形に沿って円弧状となっている。図７（ｂ）に示すように、奥基点Ｂが肩円Ｄ１の外側にある場合には、奥基点Ｂと肩円Ｄ１との接線Ｔ及び肩円Ｄ１内に断面が収まるように設定される。図７（ｂ）では、側方からの外観を重視して直線状としている。
【００３０】
この場合には、第１の筐体３のヒンジ側端部の角部３ｄの断面形状を、対向する外側ボス部４ｂの外表面の断面形状に平行で、禁止円に接する直線とするとよい。
【００３１】
一方、図８（ａ）に示すように、左右中央側の外側ボス部４ｂの外表面の断面形状は、肩円Ｄ１の外形よりも内側となるように例えば直線、曲線及び直線の組合せとしてもよく、直線及び曲線の組合せは自由である。図８（ｂ）に示すように、奥基点Ｂが肩円Ｄ１の外側にある場合には、奥基点Ｂと肩円Ｄ１との接線Ｔと肩円Ｄ１内に断面が収まるように設定される。図８（ｂ）でも、側方からの外観を重視して直線状としている。
【００３２】
このように、禁止円Ｄ２及び奥基点Ｂによって規定される範囲内であれば、外側ボス部４ｂの形状を適宜変更できる。
【００３３】
（実施形態３）
図９〜図１１は本発明の実施形態３の折畳み式携帯電話機１０１を示し、外側ボス部１０４ｂの形状が異なる点で上記実施形態１及び２と異なる。
【００３４】
すなわち、本実施形態では、特に第１の筐体１０３と第２の筐体１０７との折畳み時に、第１の筐体１０３の正面方向から見たときの第１の筐体１０３のヒンジ側端部の両角部１０３ｄと、第２の筐体１０７の外側ボス部１０４ｂとの合わせ面で形成される隙間Ｃが第１の筐体１０３の幅方向内側に向かってヒンジ１０の回転軸側へ傾斜している。
【００３５】
具体的には、外側ボス部１０４ｂの角部１０３ｄに最も近い外表面端部の肩部を直線Ｌ１で簡易的に示す。角部１０３ｄのそれに対応するコーナーを直線Ｌ２で簡易的に示す。図９（ａ）の下方から見たときに、この直線Ｌ１は、上記各実施形態と同様に左右外側に向かって徐々に低くなっている。本実施形態では、さらに、図９（ａ）の正面から見たときに、その直線Ｌ１と、それに対応する直線Ｌ２とが、左右外側に向かって徐々に下方へ傾斜している。
【００３６】
本実施形態においても、第１の筐体１０３の厚さを厚くすることなく、かつ第１の筐体１０３に表示部２が設けられた場合でも、その表示画面を狭くする必要がない。
【００３７】
（その他の実施形態）
本発明は、上記実施形態について、以下のような構成としてもよい。
【００３８】
すなわち、上記実施形態では、角部３ｄが左右一対ある場合について説明したが、ヒンジ１０が左右いずれか一方のみに存在する片持ち構造であっても、本発明は適用可能である。また、上記実施形態では、ヒンジ１０の軸方向が、折畳み式携帯電話機１の長手方向と概ね直角である場合を示したが、短手方向と概ね直角であってもよい。
【００３９】
また、上記実施形態では、携帯端末は、折畳み式携帯電話機１としたが、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等の折畳み開閉可能なものであってもよい。
【００４０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４１】
１      折畳み式携帯電話機（携帯端末）
２      表示部
２ａ    タッチパネル
３      第１の筐体
３ａ    背面カバー
３ｂ    上部キャビネット
３ｃ    中央側ボス部
３ｄ    角部
３ｅ    凹陥部
４      正面側キャビネット
４ａ    操作キー
４ｂ    外側ボス部
５      背面側キャビネット
６      リアカバー
７      第２の筐体
８ａ    メイン基板
８ｂ    サブ基板組品
８ｃ    充電池
９      ヒンジ部
１０      ヒンジ
１１      開状態用ストッパ
１０１      折畳み式携帯電話機（携帯端末）
１０３      第１の筐体
１０３ｄ    角部
１０４ｂ    外側ボス部
１０７      第２の筐体
【図１】
2016134697.tif 000003
【図２】
2016134697.tif 000004
【図４】
2016134697.tif 000005
【図５】
2016134697.tif 000006
【図６】
2016134697.tif 000007
【図７】
2016134697.tif 000008
【図８】
2016134697.tif 000009
【図９】
2016134697.tif 000010
【図１０】
2016134697.tif 000011
【図１１】
2016134697.tif 000012
【図１２】
2016134697.tif 000013
【図１３】
2016134697.tif 000014
【図１４】
2016134697.tif 000015
【図１５】
2016134697.tif 000016
【図１６】
2016134697.tif 000017
【図３】
2016134697.tif 000018